(57)【要約】【課題】靴と長靴とを同時に一足ずつ（計２足）干すことができる靴用ハンガーを提供する。【解決手段】上部に、被掛け体２に対する掛け部１１を有するセンターフレーム１０と、センターフレーム１０の底部左右から一体的に、それぞれセンターフレーム１０と間隔を隔てて上方へ延び、靴先端３ｃに向けて靴３内に挿入されることで靴３を支持する左右一対の靴掛け部２０と、センターフレーム１０の底部左右から一体的に、左右の靴掛け部２０の下方において、下向き開口のＣ字形に延び、そのＣ字形内のスペースに、天地を逆にした長靴４の底部４ｂを保持する左右一対の靴底ホルダー部３０とを備えている。【選択図】図２
2016021986.tif 000002
【特許請求の範囲】
【請求項１】
上部に、被掛け体に対する掛け部を有するセンターフレーム１０と、
このセンターフレーム１０の底部左右から一体的に、それぞれセンターフレーム１０と間隔を隔てて上方へ延び、靴先端に向けて靴内に挿入されることで靴を支持する左右一対の靴掛け部２０と、
前記センターフレーム１０の底部左右から一体的に、前記左右の靴掛け部２０の下方において、下向き開口のＣ字形に延び、そのＣ字形内のスペースに、天地を逆にした靴の底部を保持する左右一対の靴底ホルダー部３０と、
を備えたことを特徴とする靴用ハンガー。
【請求項２】
請求項１において、
前記靴掛け部２０は、上方へ行くほどセンターフレーム１０との間隔が狭まるように構成されていることを特徴とする靴用ハンガー。
【請求項３】
請求項１または２において、
前記靴掛け部２０は靴先端部に挿入される上部における左右方向の幅が幅狭に形成され、当該上部の下方に位置する下部における左右方向の幅が、上部よりも外方に膨出する幅広に形成されていることを特徴とする靴用ハンガー。
【請求項４】
請求項１〜３のうちいずれか一項において、
前記靴掛け部２０の上部は、ユーザによって該上部とセンターフレーム１０との間隔が弾性変形により狭まるように掴まれる把持部を構成し、把持された際の靴掛け部２０の弾性変形に伴い、前記靴底ホルダー部３０の開口も弾性変形によって広がることを特徴とする靴用ハンガー。
【請求項５】
請求項１〜４のうちいずれか一項において、
前記Ｃ字形の靴底ホルダー部３０の下端には、下方に向かって広がるガイド部が設けられていることを特徴とする靴用ハンガー。
【発明の詳細な説明】
【技術分野】
【０００１】
本発明は靴用ハンガーに関する。より詳しくは、靴および長靴を同時に干すのに適した靴用ハンガーに関するものである。
【背景技術】
【０００２】
従来、例えば特許文献１に見られるように、靴および長靴を掛けて干すことができる靴干し具が知られている。
しかし、この靴干し具は、靴または長靴を一足ずつしか干すことができないか、あるいは同文献の第５図に示すように、靴および長靴を片側ずつしか干すことができない。すなわち、この靴干し具は、靴と長靴とを同時に一足ずつ（計２足）干すことはできない。
【先行技術文献】
【特許文献】
【０００３】
【特許文献１】実開平３−７６５５７号公報
【発明の概要】
【発明が解決しようとする課題】
【０００４】
本発明が解決しようとする課題は、靴と長靴とを同時に一足ずつ（計２足）干すことができる靴用ハンガーを提供することである。
【課題を解決するための手段】
【０００５】
上記課題を解決するために本発明の靴用ハンガーは、
上部に、被掛け体に対する掛け部を有するセンターフレームと、
このセンターフレームの底部左右から一体的に、それぞれセンターフレームと間隔を隔てて上方へ延び、靴先端に向けて靴内に挿入されることで靴を支持する左右一対の靴掛け部と、
前記センターフレームの底部左右から一体的に、前記左右の靴掛け部の下方において、下向き開口のＣ字形に延び、そのＣ字形内のスペースに、天地を逆にした靴の底部を保持する左右一対の靴底ホルダー部と、
を備えたことを特徴とする。
この靴用ハンガーによれば、左右一対の靴掛け部をそれぞれ靴内に挿入するようにして一足の靴を掛け、左右一対の靴底ホルダー部で天地を逆にした一足の靴また長靴の靴底を保持して靴または長靴を吊し、その状態で、センターフレームの掛け部を物干し竿等の被掛け体に掛けて吊すことができる。
したがって、靴と長靴とを同時に一足ずつ（計２足）干すことができる。
また、左右の靴掛け部はセンターフレームの左右に設けられ、左右一対の靴底ホルダー部は左右の靴掛け部の下方に設けられているので、靴と長靴とを同時に一足ずつコンパクトな状態で吊すことができる。
しかも、左右一対の靴底ホルダー部は長靴を天地を逆にした状態で吊すことができるので、かなり長い長靴でも、また、ウエーダーも吊すことができる。
なお、靴掛け部には、靴の他サンダル、スリッパ等も掛けることができる。
したがって、本願において、靴にはサンダル、スリッパ等も含まれるものとし、長靴にはウエーダーも含まれる。
【０００６】
この靴用ハンガーにおいては、
前記靴掛け部は、上方へ行くほどセンターフレームとの間隔が狭まるように構成することができる。
このように構成すると、靴を傾斜させて干すことにより踵部の水切り性をよくすることができると同時に、更なるコンパクト化も図ることができる。
【０００７】
この靴用ハンガーにおいては、
前記靴掛け部は靴先端部に挿入される上部における左右方向の幅が幅狭に形成され、当該上部の下方に位置する下部における左右方向の幅が、上部よりも外方に膨出する幅広に形成されている構成とすることができる。
このように構成すると、靴掛け部上部の幅狭部を利用して幼児用等の小さな靴を干すことができる。また、大人用の大きな靴を干す場合には、下部において外方に膨出する幅広部によって靴の傾斜角度を適切にして水切れ性を良好にすることができる。
【０００８】
この靴用ハンガーにおいては、
前記靴掛け部の上部は、ユーザによって該上部とセンターフレームとの間隔が弾性変形により狭まるように掴まれる把持部を構成し、把持された際の靴掛け部の弾性変形に伴い、前記靴底ホルダー部の開口も弾性変形によって広がる構成とすることができる。
このように構成すると、ユーザーは上記把持部を掴んで靴底ホルダー部の開口を広げることができるので、靴底ホルダー部への靴底のセット作業が容易になる。
【０００９】
この靴用ハンガーにおいては、
前記Ｃ字形の靴底ホルダー部の下端には、下方に向かって広がるガイド部が設けられている構成とすることができる。
このように構成すると、ガイド部に沿わせて靴底ホルダー部への靴底を容易にセットすることができるようになる。
【図面の簡単な説明】
【００１０】
【図１】本発明に係る靴用ハンガーの一実施の形態を示す図で、（ａ）は平面図、（ｂ）は正面図、（ｃ）は左側面図、（ｄ）は右側面図、（ｅ）は底面図、（ｆ）は掛け部１１の断面図、（ｇ）は図（ｂ）におけるｇ−ｇ端面図、（ｈ）は図（ｂ）におけるｈ−ｈ端面図、（ｉ）は図（ｂ）におけるｉ−ｉ端面図。
【図２】（ａ）（ｂ）（ｃ）はそれぞれ使用状態を示す図。
【図３】（ａ）（ｂ）は靴底ホルダー部への靴底のセット方法を示す図。
【図４】変形例を示す図で、（ａ）は使用状態正面図、（ｂ）は同じく部分正面図、（ｃ）は靴底ホルダー部の下端の拡大断面図。
【図５】他の変形例を示す図で、（ａ）は正面図、（ｂ）は左側面図、（ｃ）は底面図。
【発明を実施するための形態】
【００１１】
以下、本発明に係る靴用ハンガーの実施の形態について図面を参照して説明する。なお、各図において、同一部分ないし相当する部分には、同一の符号を付してある。
【００１２】
図１，図２に示すように、この実施の形態の靴用ハンガー１は、
上部に、被掛け体２に対する掛け部１１を有するセンターフレーム１０と、
このセンターフレーム１０の底部１２の左右から一体的に、それぞれセンターフレーム１０と間隔を隔てて上方へ延び、靴３の先端３ｃに向けて靴３内に挿入されることで靴３を支持する左右一対の靴掛け部２０，２０と、
センターフレーム１０の底部１２の左右から一体的に、左右の靴掛け部２０の下方において、下向き開口のＣ字形に延び、そのＣ字形内のスペースＣ１に、天地を逆にした靴（図示のものは長靴４。以下同じ）の底部４ｂを保持する左右一対の靴底ホルダー部３０，３０とを備えている。
【００１３】
この靴用ハンガー１によれば、左右一対の靴掛け部２０をそれぞれ靴３内に挿入するようにして一足の靴３を掛け、左右一対の靴底ホルダー部３０で天地を逆にした一足の靴また長靴の靴底４ｂを保持して靴または長靴を吊し、その状態で、センターフレーム１０の掛け部１１を物干し竿等の被掛け体２に掛けて吊すことができる。
したがって、図２（ｃ）に示すように、靴３と長靴４とを同時に一足ずつ（計２足）干すことができる。
【００１４】
また、左右の靴掛け部２０はセンターフレーム１０の左右に設けられ、左右一対の靴底ホルダー部３０は左右の靴掛け部２０の下方に設けられているので、図２（ｃ）に示すように、靴３と長靴４とを同時に一足ずつコンパクトな状態で吊すことができる。
しかも、左右一対の靴底ホルダー部３０は長靴４を天地を逆にした状態で吊すことができるので、かなり長い長靴でも、また、ウエーダー（図示せず）も吊すことができる。
【００１５】
なお、靴掛け部２０には、靴の他サンダル、スリッパ等も掛けることができる。
したがって、本願において、靴にはサンダル、スリッパ等も含まれるものとし、長靴４にはウエーダーも含まれる。
【００１６】
図１（ｂ）に示すように、靴掛け部２０は、上方へ行くほどセンターフレーム１０との間隔Ｗ１が狭まるように構成されている。
このように構成すると、例えば図２（ａ）に示すように靴３を傾斜させて干すことにより踵部３ｄの水切り性をよくすることができると同時に、靴３がハの字状に掛けられることで、靴掛け部２０の下方において、靴底ホルダー部３０による長靴４等の保持スペースを確保でき、結果として、全体的に、更なるコンパクト化も図ることができる。
【００１７】
図１（ｂ）に示すように、靴掛け部２０は靴３の先端部３ｃに挿入される上部２１における左右方向の幅Ｗ２が幅狭に形成され、当該上部２１の下方に位置する下部２２における左右方向の幅Ｗ３が、上部２１よりも外方に膨出する幅広に形成されている。
このように構成すると、靴掛け部２０の上部２１の幅狭部（２１）を利用して幼児用等の小さな靴（図示せず）を干すことができる。また、例えば図２（ａ）に示すように、大人用の大きな靴３を干す場合には、下部２２において外方に膨出する幅広部（２２）によって靴３の傾斜角度を適切にして水切れ性を良好にすることができる。
【００１８】
靴掛け部２０の上部２１は、ユーザによって該上部２１とセンターフレーム１０との間隔Ｗ１が弾性変形により狭まるように掴まれる把持部（２１）を構成し（図３（ａ）参照）、把持された際の靴掛け部２０の弾性変形に伴い、靴底ホルダー部３０の開口３１も弾性変形によって広がるように構成されている。
このように構成すると、例えば図３（ａ）に示すように、ユーザーはセンターフレーム１０と把持部（２１）とを掴んで靴底ホルダー部３０の開口３１を広げることができるので、靴底ホルダー部３０への靴底４ｂのセット作業が容易になる。
この靴用ハンガー１は、適宜の公知の材料で構成でき、少なくとも、靴掛け部２０および靴底ホルダー部３０は上記のような弾性変形可能な材料（合成樹脂またはステンレス等の金属）で構成される。
【００１９】
Ｃ字形の靴底ホルダー部３０の下端には、下方に向かって広がるガイド部３２が設けられている。
このように構成すると、ガイド部３２に沿わせて靴底ホルダー部３０への靴底４ｂを容易にセットすることができるようになる。
【００２０】
靴底ホルダー部３０への靴底４ｂのセットのしかたの一例について具体的に説明すると、先ず、図３（ａ）に示すように、センターフレーム１０と靴掛け部２０の上部２１とを握り、該上部２１を矢印ａで示すように回動させ、センターフレーム１０との間隔Ｗ１を狭めて靴底ホルダー部３０の開口３１を広げる。
その状態で、矢印ｂで示すように、一方のガイド部３２（図示の場合、外側のガイド部３２）に沿わせるようにして靴底４ｂの一側４ｂ１を開口３１内に入れ、次いで、矢印ｃで示すように靴底４ｂを回動させるようにして他側４ｂ２も開口３１内に入れ、図３（ｂ）で示すように、靴底ホルダー部３０で靴底４ｂを保持して長靴４を吊す。
なお、靴底ホルダー部３０は、バスケットシューズ等のハイネックシューズを吊すのにも適している。
【００２１】
図４に示すように、ガイド部３２は、一定範囲内で開口３１を広げる方向に回動可能に、靴底ホルダー部３０の下端に対し軸３３で取り付けることもできる。
靴底ホルダー部３０の下端とガイド部３２との間には、ガイド部３２の回動範囲を規定するストッパｓ１、ｓ２を設ける。
【００２２】
ストッパｓ１は、開口３１を広げる方向へのガイド部２２の回動範囲を規定する。
ストッパｓ２は、靴底ホルダー部３０からの靴の抜けを防止するように、一対のガイド部３２をハの字形に保持するようにガイド部３２の回動範囲を規定する。
【００２３】
図４（ａ）の矢印ｂ、ｃで示すようにして靴底４ｂをセットする際、ガイド部３２は開口３１を広げる方向に回動して靴底４ｂをセットしやすくし、図４（ｂ）で示すように、靴底４ｂのセット後は、開口３１を狭めるように自重で回動して、靴底４ｂが抜けにくくする。
【００２４】
図１（ｆ）に示すように、掛け部１１はフック状に構成され、センターフレーム１０の上部に回動可能に取り付けられている。
この実施の形態では、図１（ｇ）（ｈ）（ｉ）に示すように、センターフレーム１０、靴掛け部２０、および靴底ホルダー部３０は、いずれも合成樹脂で断面平板状に形成されており、適所がリブｒで補強されている。
これによって、上述した弾性を得るとともに、適度な強度確保および軽量化を図っている。
【００２５】
以上、本発明の実施の形態について説明したが、本発明は上記の実施の形態に限定されるものではなく、本発明の要旨の範囲内において適宜変形実施可能である。
例えば、図５に示すように、Ｃ字形の靴底ホルダー部３０の下端は幅広として、その対向部同士に滑り止め３５を設けてもよい。
【符号の説明】
【００２６】
１：    靴用ハンガー
２：    被掛け体
３：    靴
３ｃ：  靴先端
４：    長靴
４ｂ：  底部
１０：    センターフレーム
１１：    掛け部
１２：    底部
２０：    靴掛け部
２１：    上部
２２：    下部
３０：    靴底ホルダー部
３１：    開口
３２：    ガイド部
【図１】
2016021986.tif 000003
【図２】
2016021986.tif 000004
【図３】
2016021986.tif 000005
【図４】
2016021986.tif 000006
【図５】
2016021986.tif 000007